(57)【特許請求の範囲】
【請求項１】
保守点検日の前に保守点検の予告を行なう予告機能、および／または、保守点検日に至るかもしくは経過すると保守点検の警告を行なう警告機能を備えた火災警報装置において、保守点検終了の入力があるときに得られる保守点検終了信号と実際に保守点検を実施するときに得られる信号との両方が生起したことを条件として、保守点検の予告および／または警告を終了させることを特徴とする火災警報装置。
【請求項２】
請求項１記載の火災警報装置において、実際に保守点検を実施するときに得られる信号が複数ある場合に、複数の信号の中から任意の信号の入力をもって、予告および／または警告を終了させるようになっていることを特徴とする火災警報装置。
【請求項３】
請求項１記載の火災警報装置において、実際に保守点検を実施すると得られる信号が複数ある場合に、複数の信号の中から所定の信号の入力をもって、予告および／または警告を終了させるようになっており、さらに予告および／または警告を終了させるために入力されるべき前記所定の信号を、予告および／または警告の終了毎に変更するようになっていることを特徴とする火災警報装置。
【請求項４】
請求項３記載の火災警報装置において、予告および／または警告の終了毎に変更される前記所定の信号は、火災警報装置において、複数の信号の中から自動的に選択されるようになっていることを特徴とする火災警報装置。
【発明の詳細な説明】
【０００１】
【発明の属する技術分野】
本発明は、火災警報装置に関する。
【０００２】
【従来の技術】
従来、特開平６−２４３３７１号に示されているような火災警報装置が知られている。この火災警報装置は、例えば半年に１回の設備の保守点検を行なう場合に、その保守点検日の１ヶ月前等に保守点検の予告を行なったり、保守点検日に達するかもしくは経過したりすると、警告を行なう機能を備えている。すなわち、この火災警報装置は、保守点検日データおよび／または予告日時データを算出して格納しておき、時計から得られる現在の日時データが、保守点検日データおよび／または予告日時データを超えた場合に、保守点検を行なうべきであることの警告表示および／または予告表示をするようにしている。
【０００３】
また、保守点検日から次回の保守点検日までの期間を表わす保守点検期間データおよび／または保守点検日の予告日時から保守点検日までの期間を表わす予告期間データを格納しておき、保守点検が行なわれた後、保守点検終了入力があったときに、保守点検期間データおよび／または予告期間データと時計から得られるその時点における日時を表わす日時データとに基づいて次回の保守点検日データおよび／または予告日時データを算出して格納するようにしている。これにより、操作者もしくはオペレータに保守点検日を把握させることができる。
【０００４】
【発明が解決しようとする課題】
ところで、上述した従来の火災報知装置では、保守点検が終了すると、操作部から保守点検終了入力を行なわせ、操作部から保守点検終了入力があると、表示部における画面の予告メッセージまたは警告メッセージを消去し、保守点検の警告や予告を終了させるようになっている。
【０００５】
しかしながら、上述した従来の火災報知装置では、操作部から誤って(あるいは故意に)保守点検終了入力がなされると、実際に保守点検が終了していなくとも警告や予告が終了してしまうという問題があった。
【０００６】
本発明は、たとえ誤って(あるいは故意に)保守点検終了入力がなされても、実際に保守点検が終了していない限り、警告や予告を終了させることができないようにし、警告や予告を確実に行なわせることの可能な火災警報装置を提供することを目的としている。
【０００７】
【課題を解決するための手段】
上記目的を達成するために、請求項１記載の発明は、保守点検日の前に保守点検の予告を行なう予告機能、および／または、保守点検日に至るかもしくは経過すると保守点検の警告を行なう警告機能を備えた火災警報装置において、保守点検終了の入力があるときに得られる保守点検終了信号と実際に保守点検を実施するときに得られる信号との両方が生起したことを条件として、保守点検の予告および／または警告を終了させることを特徴としている。
【０００８】
また、請求項２記載の発明は、請求項１記載の火災警報装置において、実際に保守点検を実施するときに得られる信号が複数ある場合に、複数の信号の中から任意の信号の入力をもって、予告および／または警告を終了させるようになっていることを特徴としている。
【０００９】
また、請求項３記載の発明は、請求項１記載の火災警報装置において、実際に保守点検を実施すると得られる信号が複数ある場合に、複数の信号の中から所定の信号の入力をもって、予告および／または警告を終了させるようになっており、さらに予告および／または警告を終了させるために入力されるべき前記所定の信号を、予告および／または警告の終了毎に変更するようになっていることを特徴としている。
【００１０】
また、請求項４記載の発明は、請求項３記載の火災警報装置において、予告および／または警告の終了毎に変更される前記所定の信号は、火災警報装置において、複数の信号の中から自動的に選択されるようになっていることを特徴としている。
【００１２】
【発明の実施の形態】
以下、本発明の実施形態を図面に基づいて説明する。図１は本発明に係る火災警報装置の構成例を示す図である。図１を参照すると、この火災警報装置は、火災受信機１に伝送路９を介して火災感知器や中継器などの端末機器Ｄ1〜ＤNが接続されて構成されている。
【００１３】
ここで、火災受信機１は、全体を制御するＣＰＵ２と、ＣＰＵ２の制御プログラム等が記憶されているＲＯＭ３と、メモリ(ＲＡＭやハードディスク等)４と、表示部５と、操作部６と、時計７と、伝送路９を介して接続される端末機器との間での伝送制御を行なう伝送制御部８とを有している。
【００１４】
表示部５は、ＬＣＤ(発光ダイオード)等の表示灯や、液晶ディスプレイ(ＬＣＤ)等の表示画面を備えている。
【００１５】
また、図２は操作部６の構成例を示す図であり、図２の例では、操作部６には、保守関係のスイッチ(キー)類として、保守スイッチ(キー)Ｋ1，試験復旧スイッチ(キー)Ｋ2，火災試験スイッチ(キー)Ｋ3，電池試験スイッチ(キー)Ｋ4などとともに、保守点検終了を入力させるための保守点検終了スイッチ(キー)Ｋ5が設けられている。また、保守点検の予告日時データや警告日時データ等の設定確認のためのスイッチ(キー)Ｋ6，設定変更のためのスイッチ(キー)Ｋ7が設けられている。
【００１６】
また、火災受信機１において、ＲＯＭ３あるいはメモリ４には、表示部５の表示画面に表示する保守点検日の予告や警告のためのメッセージが格納されている。また、メモリ４は、ＣＰＵ２の作業領域としても用いられ、また、メモリ４には、端末機器Ｄ1〜ＤNから収集したデータ等が記憶されるようになっている。
【００１７】
さらに、メモリ４には、図３に示すように、保守点検日の予告や警告を行なうか否かを表わす点検警告フラグを格納しておくための点検フラグ記憶領域と、次回保守点検日の予告を行なう日時を表わす予告日時データＰＤＡを格納しておくための予告日時データ記憶領域と、保守点検日の時期を経過したときに警告を行なう日時を表わす警告日時データＡＤＡを格納しておくための警告日時データ記憶領域と、保守点検日から次回の保守点検日までの期間を表わす保守点検期間データＥＸや、保守点検の予告を行なう日時から保守点検日までの期間を表わす予告日時データＰＲ等の、各種設定事項を格納するための設定事項記憶領域とが設けられている。
【００１８】
また、時計７は、現在の日時を表わす日時データＤＡＴＡを出力するようになっている。
【００１９】
ところで、本発明では、火災警報装置すなわち火災受信機１は、保守点検日の前に保守点検の予告を行なう予告機能、および／または、保守点検日に至るかもしくは経過すると保守点検の警告を行なう警告機能を備えており、この場合、保守点検終了の入力があるときに得られる保守点検終了信号と実際に保守点検を実施するときに得られる信号との両方が生起したことを条件として、保守点検の予告および／または警告を終了させるようになっている。すなわち、保守点検の予告メッセージあるいは保守点検の警告メッセージが表示部５に表示されているときに(保守点検の予告あるいは警告がなされているときに)、操作部６から保守点検終了スイッチ(キー)Ｋ5の入力があり、さらに、実際に保守点検を実施するときのスイッチ(キー)入力があること(具体的には、保守スイッチ(キー)Ｋ1，試験復旧スイッチ(キー)Ｋ2，火災試験スイッチ(キー)Ｋ3，電池試験スイッチ(キー)Ｋ4のいずれかの入力があること)を条件として、保守点検の予告メッセージあるいは保守点検の警告メッセージを消去して、保守点検の予告あるいは警告を終了させるようになっている。
【００２０】
より具体的に、本発明では、実際に保守点検を実施するときに得られる信号が複数ある場合に、複数の信号の中から任意の信号の入力をもって、予告および／または警告を終了させることができるようになっている。すなわち、上述のように、実際に保守点検を実施するときのスイッチ(キー)として、保守スイッチ(キー)Ｋ1，試験復旧スイッチ(キー)Ｋ2，火災試験スイッチ(キー)Ｋ3，電池試験スイッチ(キー)Ｋ4があるときに、保守点検終了スイッチ(キー)Ｋ5の入力があり、さらに、保守スイッチ(キー)Ｋ1，試験復旧スイッチ(キー)Ｋ2，火災試験スイッチ(キー)Ｋ3，電池試験スイッチ(キー)Ｋ4のうちの任意のスイッチ(キー)の入力を条件として、予告および／または警告を終了させることができるようになっている。
【００２１】
また、本発明では、実際に保守点検を実施すると得られる信号が複数ある場合に、複数の信号の中から所定の信号の入力をもって、予告および／または警告を終了させ、さらに、この場合、予告および／または警告を終了させるために入力されるべき所定の信号を、予告および／または警告の終了毎に変更するようにすることもできる。すなわち、上述のように、実際に保守点検を実施するときのスイッチ(キー)として、保守スイッチ(キー)Ｋ1，試験復旧スイッチ(キー)Ｋ2，火災試験スイッチ(キー)Ｋ3，電池試験スイッチ(キー)Ｋ4があるときに、保守点検終了スイッチ(キー)Ｋ5の入力があり、さらに、保守スイッチ(キー)Ｋ1，試験復旧スイッチ(キー)Ｋ2，火災試験スイッチ(キー)Ｋ3，電池試験スイッチ(キー)Ｋ4のうちの所定のスイッチ(キー)の入力を条件として予告および／または警告を終了させるが、この所定のスイッチ(キー)を予告および／または警告の終了毎に変更することもできる。例えば、当初は、所定のスイッチ(キー)を保守スイッチ(キー)Ｋ1としているが、次にはこれを火災試験スイッチ(キー)Ｋ3にし、次には、試験復旧スイッチ(キー)Ｋ2とするように変更することもできる。
【００２２】
また、このとき、予告および／または警告の終了毎に変更される所定の信号は、火災警報装置において、複数の信号の中から自動的に選択されるように構成することもできる。すなわち、火災警報装置において、例えば乱数発生器を設け、予告および／または警告の終了毎に乱数発生器から乱数を発生させ、この乱数発生器から発生した乱数に対応する信号(スイッチ(キー)入力)を所定の信号として選択することもできる。
【００２３】
次に、このような構成の火災報知装置の処理動作例を図４，図５のフローチャートを用いて説明する。なお、図４，図５の例では、伝送路９にＮ個の端末機器Ｄ1〜ＤNが接続されているとする。図４，図５の例では、先ず、端末機器の番号ｎを“０”に初期設定する(ステップＳ１)。次いで、番号ｎを“１”だけ歩進する(ステップＳ２)。しかる後、火災受信機１は、メモリ４内に設けられている点検フラグ記憶領域の内容を読み出して、点検警告フラグが格納されているか否かを判断する(ステップＳ３)。点検警告フラグが格納されていない場合には、保守点検日の予告や警告を行なう必要がないので、火災受信機１は通常の処理動作を行なう。すなわち、火災受信機１に接続されている端末番号ｎの端末機器Ｄnを呼び出し、状態情報を収集するなどを行なう火災監視動作を行ない(ステップＳ４)、この処理動作を各端末機器Ｄ1〜ＤNについて順次に行ない、端末機器の番号ｎがＮになったとき(ステップＳ５)、再びステップＳ１に戻り、上記の処理動作を繰り返し行なう。
【００２４】
初期時に、あるいは、上記の処理中に、ステップＳ３においてメモリ４の点検フラグ記憶領域に点検警告フラグが格納された場合には、保守点検日の予告や警告に関する処理が行なわれる。すなわち、この処理では、保守点検の警告並びに予告を行なうべき日時に達したか否かの判別を行なうため、時計７から日時データＤＡＴＡを読み込み(ステップＳ６)、日時データＤＡＴＡを、まず、警告日時データ記憶領域に格納されている警告日時データＡＤＡと比較する(ステップＳ７)。この結果、日時データＤＡＴＡが警告日時データＡＤＡを超えていなければ、日時データＤＡＴＡを、予告日時データ記憶領域に格納されている予告日時データＰＤＡと比較する(ステップＳ９)。
【００２５】
この結果、ステップＳ９において、日時データＤＡＴＡが、保守点検日の例えば１週間前や、半月前、もしくは１ヶ月前に設定されている予告日時データＰＤＡを超えたならば、ＲＯＭ３あるいはメモリ４に格納されている予告メッセージを読み出し、予告メッセージを表示部５の表示画面に表示させる(ステップＳ１０)。
【００２６】
さらに、日時が経過して、ステップＳ７において、日時データＤＡＴＡが、例えば１年や半年、３ヵ月ごとに行なわれるべきものとして設定されている保守点検日，すなわち警告時データＡＤＡを超えたならば、すでに表示されている予告メッセージを消去した後、警告メッセージを読み出し、警告メッセージを表示部５の表示画面に表示させる(ステップＳ８)。このようにして保守点検日の予告および警告が行なわれる。すなわち、表示部５に表示された予告メッセージを見て、オペレータは保守点検日が近いことを知り、また、表示部５に表示された警告メッセージを見て、オペレータは保守点検日となり、保守点検をすべきことを知ることができる。
【００２７】
このように、例えば１年や半年、あるいは３ヵ月ごとに設定されている保守点検日になると、保守点検作業者は、火災警報装置の試験等、例えば端末機器Ｄ1〜ＤNの動作試験や感度試験等を行なう。保守点検の内容は基本的には消防法に定められている。このような保守点検が終了すると、保守点検作業者は、操作部６から保守点検終了入力(保守点検終了スイッチ(キー)Ｋ5の入力)を行なう。
【００２８】
図４，図５の処理例では、ステップＳ８またはステップＳ１０で予告メッセージまたは警告メッセージを表示した後、操作部６からスイッチ(キー)の入力があったかを判断する(ステップＳ１１)。スイッチ(キー)の入力があったとき、本発明では、入力されたスイッチ(キー)が保守点検終了スイッチ(キー)Ｋ5であるか、さらに、保守点検終了スイッチ(キー)Ｋ5の入力の他に、保守関係のスイッチ(キー)の入力(保守スイッチ(キー)Ｋ1，試験復旧スイッチ(キー)Ｋ2，火災試験スイッチ(キー)Ｋ3，電池試験スイッチ(キー)Ｋ4のいずれかのスイッチ(キー)の入力)があるかを判断する(ステップＳ１２)。この結果、ステップＳ１２で、保守点検終了スイッチ(キー)Ｋ5が入力され、さらに、保守点検終了スイッチ(キー)Ｋ5の入力の他に、保守関係のスイッチ(キー)の入力があったとき、表示部５に表示されている予告メッセージまたは警告メッセージを消去する(ステップＳ１３)。これにより、保守点検の予告または警告が終了する。
【００２９】
次に、次回の保守点検の予告日時ＰＤＡおよび警告日時ＡＤＡを算出するために、時計７から日時データＤＡＴＡを読み込む(ステップＳ１４)と共に、メモリ４の設定事項記憶領域から保守点検期間データＥＸおよび予告期間データＰＲを読み出す(ステップＳ１５)。ここで、保守点検期間データＥＸは、保守点検を行なってから次の保守点検を行なうまでの期間を表わすデータであり、前述のように１年や半年または３ヵ月等が選ばれて格納されており、また、予告期間データＰＲは、保守点検を行なう日前の予告を行なう日から保守点検日までの期間を表わすデータであり、前述のように１週間や半月または１ヵ月等が選ばれて格納されている。
【００３０】
時計７から日時データＤＡＴＡを読み込み、かつメモリ４の設定事項記憶領域から保守点検期間データＥＸおよび予告期間データＰＲを読み出すと、次回の保守点検の警告日時データＡＤＡを、例えば次式によって算出する。
【００３１】
【数１】
ＡＤＡ＝ＤＡＴＡ＋ＥＸ
【００３２】
このように、次回の保守点検の警告日時データＡＤＡを数１により算出すると、メモリ４の警告日時データ記憶領域に格納されている警告日時データを、いま算出された警告日時データＡＤＡでもって更新する(ステップＳ１６)。
【００３３】
また、次回の保守点検の予告日時データＰＤＡを、例えば次式によって算出する。
【００３４】
【数２】
ＰＤＡ＝ＤＡＴＡ＋ＥＸ−ＰＲ
【００３５】
このように、次回の保守点検の予告日時データＰＤＡを数２により算出すると、メモリ４の予告日時データ記憶領域に格納されている予告日時データを、いま算出された予告日時データＰＤＡでもって更新する(ステップＳ１７)。
【００３６】
このようにして、次回の予告日データＰＤＡおよび次回の警告日時データＡＤＡが設定記憶されると、ステップＳ４に戻って、次回の予告日時および警告日時が来るまで通常の火災監視動作が行なわれる。
【００３７】
また、図４，図５の処理例では、保守点検の予告日時データや警告日時データ等の設定または変更が望まれる場合は、操作部６から点検警告設定変更入力を行なうことができる。すなわち、ステップＳ１１でスイッチ(キー)の入力があり、ステップＳ１２で、入力されたスイッチ(キー)が、保守点検終了スイッチ(キー)Ｋ5，保守スイッチ(キー)Ｋ1，試験復旧スイッチ(キー)Ｋ2，火災試験スイッチ(キー)Ｋ3，電池試験スイッチ(キー)Ｋ4のいずれでもないときには、入力されたスイッチ(キー)が設定確認のためのスイッチ(キー)Ｋ6であるか、設定変更のためのスイッチ(キー)Ｋ7であるかを判断する(ステップＳ１８，Ｓ１９)。
【００３８】
この結果、設定変更のためのスイッチ(キー)Ｋ7の入力であると判断されると、メモリ４の各記憶領域の内容が読み出されて表示部５の表示画面に表示され、操作者もしくはオペレータは、表示画面を観察しながら、保守点検の予告日時データや警告日時データ等の変更もしくは設定を行なうことができる(ステップＳ２１)。すなわち、点検日時の予告や警告を行なうことが望まれる場合には、点検フラグ記憶領域に点検警告フラグを設定し、保守点検の予告を行なうことが望まれる最初の日時を予告日時データＰＤＡとして予告日時データ記憶領域に格納し、保守点検警告を行なうことが望まれる最初の日時を警告日時データＡＤＡとして警告日時データ記憶領域に格納し、そして望まれる保守点検期間および予告期間をそれぞれ保守点検期間データＥＸおよび予告期間データＰＲとして設定事項記憶領域に格納することができる。
【００３９】
また、メモリ４の各記憶領域の内容を視覚表示により単に確認することだけが望まれる場合には、操作部６から点検警告設定確認入力を行なうことができる。すなわち、ステップＳ１８，Ｓ１９において、設定確認のためのスイッチ(キー)Ｋ6の入力であると判断されると、メモリ４の各記憶領域の内容が読み出されて表示部５の表示画面に表示され、操作者もしくはオペレータは、表示画面を観察しながら、設定内容の確認を行なうことができる。このように、メモリ４の各記憶領域の内容が読み出されて表示部５に表示されるので、これを観察しながら確認を行なうことができる(ステップＳ２０)。なお、点検警告設定確認入力の場合は、表示だけを行ない、変更もしくは設定を行なうことはできない。
【００４０】
また、ステップＳ１８，Ｓ１９において、スイッチ(キー)Ｋ6，Ｋ7のいずれのスイッチ(キー)入力でないときには、その他のスイッチ(キー)の入力に従った処理を行なう(ステップＳ２２)。
【００４１】
上述の例では、メモリ４の点検フラグ記憶領域に点検警告フラグが格納されている場合には、保守点検日の警告と予告との双方を行なうようにしているが、メモリ４の点検フラグ記憶領域に、点検警告フラグの他に、点検予告フラグを別個に格納することができるようにし、点検警告フラグが格納されている場合にはステップＳ７，Ｓ８で保守点検日の警告を行ない、点検予告フラグが格納されている場合にはステップＳ９，Ｓ１０で保守点検日の予告を行なうようにしても良い。このようにすれば、点検警告フラグまたは点検予告フラグの一方だけを格納することにより、保守点検日の警告または予告の一方だけを行なわせるようにすることができる。
【００４２】
さらに、警告および／または予告を行なう場合、表示部５にメッセージを表示するだけでなく、メッセージの表示と同時に簡単な警告音を発生させることにより音声警告および／または音声予告を行なうようにすることもできる。このようにすれば、警告および／または予告の注意を喚起する上で、より一層好ましい。
【００４３】
また、警告することが望まれる内容が複数有る場合には、各内容項目をＲＯＭ３あるいはメモリ４に格納しておき、各項目毎にフラグをメモリ４の点検フラグ記憶領域に格納して、指定された項目について保守点検日の予告および警告を行なえばよい。メモリ４の他の記憶領域に格納されるデータも各項目毎に設定されることは勿論である。この場合、例えば、接続されている複数個の端末機器(例えば火災感知器)に直接加煙または加熱することによる動作試験、各端末機器の設定感度が維持されていることを確認する感度試験、火災受信機盤面から各端末機器を動作させる遠隔試験、警報動作としてのベル鳴動の確認をする鳴動試験、連動させる防排煙機器の動作試験等、種々の点検内容についてそれぞれの期間で保守点検日の予告および警告を行なうことができる。
【００４４】
以上のように、本発明の火災警報装置は、保守点検日の前に保守点検の予告を行なう予告機能、および／または、保守点検日に至るかもしくは経過すると保守点検の警告を行なう警告機能を備えており、この場合、操作部６から保守点検終了の入力があるときに得られる保守点検終了信号と実際に保守点検を実施するときに得られる信号との両方が得られたことを条件として、保守点検の予告および／または警告を終了させるようにしている。
【００４５】
すなわち、本発明では、予告や警告を終了させる条件として、操作部６からの保守点検終了の入力だけではなく、実際に保守点検を実施しなければ得られない信号、例えば保守関係のスイッチ類(保守スイッチ、試験復旧スイッチ、火災試験スイッチ、電池試験スイッチなど)の入力もなければ、予告や警告を終了させることができないようにしている。これにより、従来のように単に保守点検終了の入力だけで終了させていた予告や警告を、簡単には終了させることができなくなる。すなわち、たとえ誤って(あるいは、故意に)保守点検終了入力がなされても、実際に保守点検が終了していない限り、警告や予告を終了させることができないようにし、警告や予告を確実に行なわせることが可能となる。
【００４６】
また、本発明では、実際に保守点検を実施するときに得られる信号が複数ある場合に、複数の信号の中から任意の信号の入力をもって、予告および／または警告を終了させるようにすることができる。
【００４７】
すなわち、実際に保守点検を実施すると得られる信号が複数ある場合に、なにも全ての信号を入力させる必要はなく、複数の信号のうちの少なくとも１つの信号の入力があれば、実際に保守点検が実施されたとみなすことができることから、複数の信号の中から任意の信号の入力をもって、予告および／または警告を終了させることができる。
【００４８】
なお、上述の例では、実際に保守点検を実施すると得られる信号が複数ある場合に、複数の信号の中から任意の信号の入力をもって、予告および／または警告を終了させるようにしているが、複数の信号の中から予め決められた所定の信号の入力をもって、予告および／または警告を終了させることもできる。さらに、この場合、予告および／または警告を終了させるために入力させるべき前記所定の信号を、予告および／または警告の終了毎に変更することもできる。
【００４９】
すなわち、予告および／または警告を終了させるための所定の信号を固定しておくと、長い間には予告や警告を終了させる手順を覚えられてしまい、保守点検のための複数の信号(複数のスイッチ(キー))の入力の一部の入力しかなされず、全ての項目について保守点検がなされないといった問題が生じることが考えられる。このような問題を回避するためには、予告および／または警告終了毎に入力させる信号(スイッチ(キー))を変更するようにするのが良い。これにより、たとえ長期に使用していても、簡単には予告や警告を終了させる手順を覚えられないようにし、全ての項目について保守点検を行なわせることができる。
【００５０】
また、この際、予告および／または警告の終了毎に変更される信号は、火災警報装置において、複数の信号の中から自動的に選択されるようにすることができる。
【００５１】
すなわち、予告および／または警告終了毎に入力させる信号を変更する処理を手作業で行なうことも可能であるが、これを手作業でその都度行なうことは、作業負担を増大させ、また、オペレータは、変更操作を忘れることもある。そこで、予告および／または警告終了毎に入力させる信号の変更を自動的に行なうようにすることで(前述のように、例えば乱数を発生させて自動的に行なうことで)、作業負担をかけずに確実に変更を行なうことが可能になる。
【００５２】
また、上述した例では、予告期間ＰＲは、次回の保守点検日前の次回の予告を行なう日時から次回の保守点検日までの期間としたが、今回の保守点検日から次回の予告を行なうまでの期間ＰＲ’とすることもできる。その場合には、予告日時データＰＤＡは、次式により算出することができる。
【００５３】
【数３】
ＰＤＡ＝ＤＡＴＡ＋ＰＲ’
【００５４】
また、上述の各例では、次回の保守点検の警告日時ＡＤＡを数１に示すように、実際に保守点検を実施した信号が得られかつ保守点検終了の入力のあった日時データＤＡＴＡと期間データＥＸとから算出し、また、次回の保守点検の予告日時ＰＤＡを数２あるいは数３に示すように、実際に保守点検を実施した信号が得られかつ保守点検終了の入力のあった日時データＤＡＴＡと期間データＥＸ，ＰＲあるいはＰＲ’とから算出するようにしているが、実際に保守点検を実施した信号が得られかつ保守点検終了入力のあった日時データＤＡＴＡを基準にして，次回の保守点検の警告日時ＡＤＡ，予告日時ＰＤＡを算出する場合には、故意に保守点検日より後に保守点検終了の入力などを行なうことにより、次回の保守点検日を遅らせることができるので問題がある。この問題を回避するため、保守点検の警告日時および／または予告日時を初期設定時に固定設定することもできる。
【００５５】
具体的には、システムの初期設定時に、この初期設定時点から固定の期間ＥＸ(例えば６ヵ月)毎に保守点検の警告日時ＡＤＡを設定することができる。同様に、システムの初期設定時に、固定の期間ＥＸ(例えば６ヵ月)毎に設定される保守点検の警告日時ＡＤＡから予告期間データＰＲを差し引いた(ＡＤＡ−ＰＲ)を保守点検の予告日時ＰＤＡとして設定することができる。この場合には、第１回目の保守点検の警告日時ＡＤＡは、初期設定時点Ｄintから固定期間ＥＸが経過した時点(Ｄint＋ＥＸ)であり、また、第２回目の保守点検の警告日時ＡＤＡは、第１回目の保守点検の警告日時ＡＤＡから固定期間ＥＸが経過した時点(Ｄint＋２×ＥＸ)である。また、第１回目の保守点検の予告日時は、第１回目の保守点検の警告日時ＡＤＡから予告期間データＰＲを差し引いた(Ｄint＋ＥＸ−ＰＲ)であり、また、第２回目の保守点検の予告日時は、第１回目の保守点検の警告日時ＡＤＡから予告期間データＰＲを差し引いた(Ｄint＋ＥＸ−ＰＲ)である。このように、保守点検の警告日時および／または予告日時を初期設定時に固定設定することによって、故意に保守点検日より後に保守点検終了の入力などがなされても、次回の保守点検の予告日時および／または警告日時に遅れを生じさせずに済む。
【００５６】
【発明の効果】
以上に説明したように、請求項１乃至請求項４記載の発明によれば、保守点検日の前に保守点検の予告を行なう予告機能、および／または、保守点検日に至るかもしくは経過すると保守点検の警告を行なう警告機能を備えた火災警報装置において、保守点検終了の入力があるときに得られる保守点検終了信号と実際に保守点検を実施するときに得られる信号との両方が生起したことを条件として、保守点検の予告および／または警告を終了させるので、たとえ誤って(あるいは故意に)保守点検終了入力がなされても、実際に保守点検が終了していない限り、警告や予告を終了させることができないようにし、警告や予告を確実に行なわせることができる。
【００５７】
特に、請求項２記載の発明では、実際に保守点検を実施すると得られる信号が複数ある場合に、なにも全ての信号を入力させる必要はなく、複数の信号のうちの少なくとも１つの信号の入力があれば、実際に保守点検が実施されたとみなすことができることから、複数の信号の中から任意の信号の入力をもって、予告および／または警告を終了させることができる。
【００５８】
また、請求項３記載の発明では、請求項１記載の火災警報装置において、実際に保守点検を実施すると得られる信号が複数ある場合に、複数の信号の中から所定の信号の入力をもって、予告および／または警告を終了させるようになっており、さらに予告および／または警告を終了させるために入力されるべき前記所定の信号を、予告および／または警告の終了毎に変更するようになっているので、火災警報装置をたとえ長期に使用していても、簡単には予告や警告を終了させる手順を覚えられないようにし、全ての項目について保守点検を行なわせることができる。
【００５９】
また、請求項４記載の発明では、請求項３記載の火災警報装置において、予告および／または警告の終了毎に変更される前記所定の信号は、火災警報装置において、複数の信号の中から自動的に選択されるようになっているので、作業負担をかけずに確実に変更を行なうことが可能になる。
【図面の簡単な説明】
【図１】本発明に係る火災警報装置の構成例を示す図である。
【図２】操作部の構成例を示す図である。
【図３】メモリの各記憶領域を示す図である。
【図４】図１の火災警報装置の処理動作例を示すフローチャートである。
【図５】図１の火災警報装置の処理動作例を示すフローチャートである。
【符号の説明】
１          火災警報装置
２          ＣＰＵ
３          ＲＯＭ
４          メモリ
５          表示部
６          操作部
７          時計
８          伝送制御部
９          伝送路
【図１】
0003646852.tif 000002
【図２】
0003646852.tif 000003
【図３】
0003646852.tif 000004
【図４】
0003646852.tif 000005
【図５】
0003646852.tif 000006